(57)【特許請求の範囲】
【請求項１】
下水汚泥が蓄えられる汚泥槽と、
前記汚泥槽から送られてくる下水汚泥の一部から繊維状物を回収する繊維状物回収部と、
前記汚泥槽から送られてくる下水汚泥を脱水する脱水部と、
前記脱水部で脱水される下水汚泥における繊維状物の濃度を測定する繊維状物濃度測定部と、
前記繊維状物濃度測定部での測定の結果、繊維状物の濃度が所定の値よりも高い場合に、前記繊維状物回収部での繊維状物の回収量を増やし、また、前記繊維状物濃度測定部での測定の結果、繊維状物の濃度が所定の値よりも低い場合に、前記繊維状物回収部で回収した繊維状物を加えることで、前記脱水部に入る下水汚泥における繊維状物の濃度を所定の範囲内に制御する制御部と、
を有することを特徴とする汚泥脱水装置。
【請求項２】
請求項１に記載の汚泥脱水装置において、
前記繊維状物回収部は、前記汚泥槽から送られてくる下水汚泥のうちの一部の下水汚泥から、繊維状物の一部もしくは総てを回収し、
前記繊維状物濃度測定部は、前記汚泥槽から送られてくる下水汚泥のうちの残りの下水汚泥における繊維状物の濃度を測定し、
前記制御部は、前記繊維状物濃度測定部での測定の結果、繊維状物の濃度が所定の値よりも低い場合に、前記下水汚泥が送られる方向における前記繊維状物濃度測定部よりも下流側で、前記残りの下水汚泥に繊維状物を加えるように構成されていることを特徴とする汚泥脱水装置。
【請求項３】
請求項１または請求項２に記載の汚泥脱水装置において、
前記制御部は、前記繊維状物濃度測定部での測定の結果、繊維状物の濃度が所定の値よりも高い場合に、前記繊維状物回収部に送られる一部の下水汚泥の量を増やすように構成されていることを特徴とする汚泥脱水装置。
【請求項４】
請求項１〜請求項３のいずれか１項に記載の汚泥脱水装置において、
前記繊維状物回収部で繊維状物が回収された前記一部の下水汚泥の残りが、前記脱水部に供給されるように構成されていることを特徴とする汚泥脱水装置。
【請求項５】
請求項１〜請求項４のいずれか１項に記載の汚泥脱水装置において、
含水率測定部と前記脱水部に凝集剤を供給する凝集剤供給部とを備え、
前記含水率測定部が、前記脱水部から送られてくる脱水ケーキの含水率を測定し、前記制御部が、前記含水率測定部での測定の結果、脱水ケーキの含水率が所定の値よりも高い場合に凝集剤の供給量を増やし、前記含水率測定部での測定の結果、脱水ケーキの含水率が所定の値よりも低い場合に凝集剤の供給量を減らす制御をするように構成されていることを特徴とする汚泥脱水装置。
【請求項６】
下水汚泥が蓄えられる汚泥槽から送られてくる下水汚泥の一部から繊維状物を回収する繊維状物回収工程と、前記汚泥槽から送られてくる下水汚泥を脱水する脱水工程と、
前記脱水工程で脱水される下水汚泥における繊維状物の濃度を測定する繊維状物濃度測定工程と、
前記繊維状物濃度測定工程での測定の結果、繊維状物の濃度が所定の値よりも高い場合に、前記繊維状物回収工程での繊維状物の回収量を増やし、また、前記繊維状物濃度測定工程での測定の結果、繊維状物の濃度が所定の値よりも低い場合に、前記繊維状物回収工程で回収した繊維状物を加えることで、前記脱水工程に入る下水汚泥における繊維状物の濃度を所定の範囲内に制御する制御工程と、
を含むことを特徴とする汚泥脱水方法。
【請求項７】
請求項６に記載の汚泥脱水方法において、
前記繊維状物回収工程は、前記汚泥槽から送られてくる下水汚泥のうちの一部の下水汚泥から、繊維状物の一部もしくは総てを回収し、
前記繊維状物濃度測定工程は、前記汚泥槽から送られてくる下水汚泥のうちの残りの下水汚泥における繊維状物の濃度を測定し、
前記制御工程は、前記繊維状物濃度測定工程での測定の結果、繊維状物の濃度が所定の値よりも低い場合に、前記下水汚泥が送られる方向における前記繊維状物濃度測定工程よりも下流側で、前記残りの下水汚泥に繊維状物を加えることを特徴とする汚泥脱水方法。
【請求項８】
請求項６または請求項７に記載の汚泥脱水方法において、
前記制御工程は、前記繊維状物濃度測定工程での測定の結果、繊維状物の濃度が所定の値よりも高い場合に、前記繊維状物回収工程に送られる一部の下水汚泥の量を増やすことを特徴とする汚泥脱水方法。
【請求項９】
請求項６〜請求項８のいずれか１項に記載の汚泥脱水方法において、
前記繊維状物回収工程で繊維状物が回収された前記一部の下水汚泥の残りを、前記脱水工程に供給する残汚泥返送工程を備えることを特徴とする汚泥脱水方法。
【請求項１０】
請求項６〜請求項９のいずれか１項に記載の汚泥脱水方法において、
含水率測定工程と前記脱水工程の前段で凝集剤を供給する凝集剤供給工程とを備え、
前記含水率測定工程は、前記脱水工程で脱水された脱水ケーキの含水率を測定する工程であり、
前記制御工程は、前記含水率測定工程での測定の結果、脱水ケーキの含水率が所定の値よりも高い場合に前記凝集剤供給工程での凝集剤の供給量を増やし、前記含水率測定工程での測定の結果、脱水ケーキの含水率が所定の値よりも低い場合に前記凝集剤供給工程での凝集剤の供給量を減らす工程であることを特徴とする汚泥脱水方法。
【発明の詳細な説明】
【技術分野】
【０００１】
本発明は、汚泥脱水装置及び汚泥脱水方法に係り、詳細には繊維状物を回収し供給する汚泥脱水装置及び汚泥脱水方法に関する。
【背景技術】
【０００２】
従来、下水処理場の汚泥処理において、汚泥の脱水性には汚泥に含有される繊維状物が最も影響することが判明している。古くから古紙やバイオマスを脱水助材として添加する技術があるが、脱水助材の収集や保管が困難であり、機場での実用化はごく少数であった。
【０００３】
下水処理場の汚泥にはトイレットペーパーに由来する多量のセルロース系の繊維状物が含有されている。脱水機で安定的に低含水率の脱水ケーキを生成するためには、汚泥中に含まれる繊維状分の含有率を把握し制御すれば、必要最低限の凝集剤にて脱水前の汚泥を最適に改質でき、後段の脱水機にて安定的に低含水率の脱水ケーキを生成することができる。
【０００４】
特許文献１には、汚泥に希釈水を加えて汚泥溶液として、この汚泥溶液の流量、比重及び固形分濃度を測定し、これらの測定値に基づき直接的に汚泥の含水率を連続的に算出するものが示されている。特許文献１に記載のものにおいては、汚泥濃度を連続的に測定する方法は公知である（ＭＬＳＳ計、ＴＳ計、マイクロ波、トルク等）が、汚泥には繊維状物の他に、無機系の砂礫、有機系の食物残渣等の固形物が含まれており、その固形分中の繊維分濃度のみを測定する方法は記載も示唆もない。
【０００５】
特許文献２には、汚泥中の繊維分濃度に応じて不足する繊維分を脱水補助材として添加することにより汚泥中の繊維分濃度を常に一定レベル以上に調整し、脱水汚泥含水率を低レベルに安定させるものが示されている。しかし、特許文献２には、脱水補助剤として解砕古紙を用いることが記載されており、解砕古紙を処理場に移送する移送手段や、解砕古紙を処理場内にて保管する保管手段が別途必要となる。特許文献２には、汚泥に含有されている繊維分の一部を回収して使用する方法は記載も示唆もない。
【０００６】
特許文献３は、有機性汚水の処理槽で発生する汚泥を分離して脱水する汚泥の処理方法において、処理槽に流入する汚水からセルロース系の繊維分を回収するとともに、この繊維分を添加して汚泥を脱水することが記載されている。しかし、特許文献３に記載の、処理場で発生する汚泥から繊維分を脱水助材として添加する方法では、汚水から繊維分を全量回収しているため、回収装置の負荷が大きい。また、特許文献３の回収方法では、繊維分のみを回収することが困難であり、他の腐敗し易い有機物（食品残渣等）も一緒に回収することになり、保管時に有機物の腐敗の影響を受けて繊維分も腐敗する。
【先行技術文献】
【特許文献】
【０００７】
【特許文献１】特許第４６４７７９５号
【特許文献２】特許第５３０５８７８号
【特許文献３】特開２００３−８０２９９号
【発明の概要】
【発明が解決しようとする課題】
【０００８】
ところで、下水処理場に流入する被処理水は、日間変動、季節変動、天候等により、流入量や被処理水中の成分が変動する。
【０００９】
したがって、従来のものでは、汚泥中に含まれる繊維分濃度を連続的に正確に測定することが難しく、脱水機に供給する汚泥の繊維分濃度を一定に制御することが難しいという問題がある。
【００１０】
本発明は、上記問題点に鑑みてなされたものであり、汚泥中に含まれる繊維分濃度を連続的に正確に測定するとともに、脱水機に供給する汚泥の繊維分濃度を一定に制御する汚泥脱水装置及び汚泥脱水方法を提供することを目的とする。
【課題を解決するための手段】
【００１１】
請求項１に記載の発明は、下水汚泥が蓄えられる汚泥槽（２）と、前記汚泥槽から送られてくる下水汚泥の一部から繊維状物を回収する繊維状物回収部（３）と、前記汚泥槽から送られてくる下水汚泥を脱水する脱水部（４）と、前記脱水部で脱水される下水汚泥における繊維状物の濃度を測定する繊維状物濃度測定部（５）と、前記繊維状物濃度測定部での測定の結果、繊維状物の濃度が所定の値よりも高い場合に、前記繊維状物回収部での繊維状物の回収量を増やし、また、前記繊維状物濃度測定部での測定の結果、繊維状物の濃度が所定の値よりも低い場合に、前記繊維状物回収部で回収した繊維状物を加えることで、前記脱水部に入る下水汚泥における繊維状物の濃度を所定の範囲内に制御する制御部（６）と、を有することを特徴とする。
【００１２】
請求項２に記載の発明は、請求項１に記載の汚泥脱水装置において、前記繊維状物回収部は、前記汚泥槽から送られてくる下水汚泥のうちの一部の下水汚泥から、繊維状物の一部もしくは総てを回収し、前記繊維状物濃度測定部は、前記汚泥槽から送られてくる下水汚泥のうちの残りの下水汚泥における繊維状物の濃度を測定し、前記制御部は、前記繊維状物濃度測定部での測定の結果、繊維状物の濃度が所定の値よりも低い場合に、前記下水汚泥が送られる方向における前記繊維状物濃度測定部よりも下流側で、前記残りの下水汚泥に繊維状物を加えるように構成されていることを特徴とする。
【００１３】
請求項３に記載の発明は、請求項１または請求項２に記載の汚泥脱水装置において、前記制御部は、前記繊維状物濃度測定部での測定の結果、繊維状物の濃度が所定の値よりも高い場合に、前記繊維状物回収部に送られる一部の下水汚泥の量を増やすように構成されていることを特徴とする。
【００１４】
請求項４に記載の発明は、請求項１〜請求項３のいずれか１項に記載の汚泥脱水装置において、前記繊維状物回収部で繊維状物が回収された前記一部の下水汚泥の残りが、前記脱水部に供給されるように構成されていることを特徴とする。
【００１５】
請求項５に記載の発明は、請求項１〜請求項４のいずれか１項に記載の汚泥脱水装置において、含水率測定部と前記脱水部に凝集剤を供給する凝集剤供給部とを備え、前記含水率測定部が、前記脱水部から送られてくる脱水ケーキの含水率を測定し、前記制御部が、前記含水率測定部での測定の結果、脱水ケーキの含水率が所定の値よりも高い場合に凝集剤の供給量を増やし、前記含水率測定部での測定の結果、脱水ケーキの含水率が所定の値よりも低い場合に凝集剤の供給量を減らす制御をするように構成されていることを特徴とする。
【００１６】
請求項６に記載の発明は、下水汚泥が蓄えられる汚泥槽から送られてくる下水汚泥の一部から繊維状物を回収する繊維状物回収工程と、前記汚泥槽から送られてくる下水汚泥を脱水する脱水工程と、前記脱水工程で脱水される下水汚泥における繊維状物の濃度を測定する繊維状物濃度測定工程と、前記繊維状物濃度測定工程での測定の結果、繊維状物の濃度が所定の値よりも高い場合に、前記繊維状物回収工程での繊維状物の回収量を増やし、また、前記繊維状物濃度測定工程での測定の結果、繊維状物の濃度が所定の値よりも低い場合に、前記繊維状物回収工程で回収した繊維状物を加えることで、前記脱水工程に入る下水汚泥における繊維状物の濃度を所定の範囲内に制御する制御工程と、を含むことを特徴とする。
【００１７】
請求項７に記載の発明は、請求項６に記載の汚泥脱水方法において、前記繊維状物回収工程は、前記汚泥槽から送られてくる下水汚泥のうちの一部の下水汚泥から、繊維状物の一部もしくは総てを回収し、前記繊維状物濃度測定工程は、前記汚泥槽から送られてくる下水汚泥のうちの残りの下水汚泥における繊維状物の濃度を測定し、前記制御工程は、前記繊維状物濃度測定工程での測定の結果、繊維状物の濃度が所定の値よりも低い場合に、前記下水汚泥が送られる方向における前記繊維状物濃度測定工程よりも下流側で、前記残りの下水汚泥に繊維状物を加えることを特徴とする。
【００１８】
請求項８に記載の発明は、請求項６または請求項７に記載の汚泥脱水方法において、前記制御工程は、前記繊維状物濃度測定工程での測定の結果、繊維状物の濃度が所定の値よりも高い場合に、前記繊維状物回収工程に送られる一部の下水汚泥の量を増やすことを特徴とする。
【００１９】
請求項９に記載の発明は、請求項６〜請求項８のいずれか１項に記載の汚泥脱水方法において、前記繊維状物回収工程で繊維状物が回収された前記一部の下水汚泥の残りを、前記脱水工程に供給する残汚泥返送工程を備えることを特徴とする。
【００２０】
請求項１０に記載の発明は、請求項６〜請求項９のいずれか１項に記載の汚泥脱水方法において、含水率測定工程と前記脱水工程の前段で凝集剤を供給する凝集剤供給工程とを備え、前記含水率測定工程は、前記脱水工程で脱水された脱水ケーキの含水率を測定する工程であり、前記制御工程は、前記含水率測定工程での測定の結果、脱水ケーキの含水率が所定の値よりも高い場合に前記凝集剤供給工程での凝集剤の供給量を増やし、前記含水率測定工程での測定の結果、脱水ケーキの含水率が所定の値よりも低い場合に前記凝集剤供給工程での凝集剤の供給量を減らす工程であることを特徴とする。
【発明の効果】
【００２１】
本発明によれば、下水処理場の外部から脱水助材を持ち込んで添加する必要がなくなることにより、イニシャルコストおよびランニングコストを低減することができる。また、リアルタイムに性状変動する汚泥から繊維分濃度を正確に算出でき、脱水機に供給する汚泥中の繊維分濃度を常時所定範囲内に維持でき、安定的に低含水率の脱水ケーキを生成可能な汚泥に改質できるという効果を奏する。また、繊維分濃度を常時所定範囲内に維持することにより、複雑な脱水機の運転制御を行わずに所定の含水率の脱水ケーキを生成できる。さらに、凝集剤の添加量で脱水ケーキの含水率を調整できるので、後段の焼却炉に負担がかからない。
【図面の簡単な説明】
【００２２】
【図１】汚泥脱水装置の概略を示す概略図である。
【図２】繊維分含有率の時刻による変化を説明する図である。
【図３】汚泥脱水装置の他の実施形態を説明する概略図である。
【発明を実施するための形態】
【００２３】
本発明の実施形態に係る汚泥脱水装置（汚泥脱水システム）１は、図１で示すように、下水汚泥が蓄えられる汚泥槽２（汚泥タンク）と、汚泥槽２から送られてくる下水汚泥の一部（一部の下水汚泥）から繊維状物を回収して一時的に貯留可能な繊維状物回収部３（繊維状物回収装置）と、汚泥槽２から送られてくる下水汚泥を脱水する脱水部４（脱水機）と、脱水部４で脱水される前の下水汚泥における繊維状物の濃度を測定する繊維状物濃度測定部５と、凝集剤が蓄えられる凝集剤貯留槽７と、脱水部４で生成した脱水ケーキの含水率を測定する含水率測定部８と、脱水ケーキを含む廃棄物を焼却処理する焼却炉９と、制御部６とを有する。
【００２４】
繊維状物濃度測定部５は、たとえば、下水汚泥の粘度を測定することで、繊維状物の濃度を測定している。所定の範囲内では、下水汚泥の繊維状物以外の固形物（無機系の砂礫、有機系の食物残渣等）の濃度にかかわらず、下水汚泥の粘度と繊維状物の濃度とは比例関係等の一定の関係になっているからである。
【００２５】
制御部６では、繊維状物濃度測定部５での測定の結果、繊維状物の濃度が所定の値（例えば２０％）よりも高い場合に、繊維状物回収部３での繊維状物の回収を行う（たとえば回収量を増やす）制御をするようになっている。
【００２６】
また、制御部６では、繊維状物濃度測定部５での測定の結果、繊維状物の濃度が所定の値（例えば２０％）よりも低い場合に繊維状物回収部３で回収した繊維状物（たとえば、回収して蓄えてあった繊維状物）を加えることで、脱水部４に入る下水汚泥における繊維状物の濃度を所定の範囲内に制御するようになっている。
【００２７】
この制御部６での制御により、処理対象である汚泥中（汚泥槽２内の汚泥中）の繊維状物の濃度が変動しても、脱水部４に入る直前の汚泥中の繊維状物の濃度をほぼ一定に保つことができ、低含水率の脱水ケーキを安定して生成することができるようになっている。
【００２８】
繊維状物回収部３は、汚泥槽２から送られてくる下水汚泥のうちの一部の下水汚泥（以下、回収汚泥）から、この回収汚泥に含まれている繊維状物の一部もしくはほぼ総てを回収するように構成されている。総てではなく一部の下水汚泥のみから繊維状物を回収すればよいので、繊維状物回収部３の負荷が軽減される。
【００２９】
繊維状物濃度測定部５は、汚泥槽２から送られてくる下水汚泥のうちの残りの下水汚泥（繊維状物回収部３に送られなかった下水汚泥、以下、主汚泥）における繊維状物の濃度を測定するように構成されている。
【００３０】
制御部６は、繊維状物濃度測定部５での測定の結果、繊維状物の濃度が所定の値よりも低い場合に、下水汚泥が送られる方向における繊維状物濃度測定部５よりも下流側で（繊維状物濃度測定部５と脱水部４との間の配管の途中で）、主汚泥に繊維状物を加えるように構成されている。
【００３１】
また、汚泥脱水装置１では、繊維状物濃度測定部５での測定の結果、繊維状物の濃度が所定の値よりも高い場合に、制御部６が、たとえば、繊維状物回収部３に送られる回収汚泥の量を増やすように構成されている。
【００３２】
また、汚泥脱水装置１では、繊維状物回収部３で繊維状物が回収された回収汚泥の残り（繊維状物回収部３から出てきた下水汚泥、以下、回収部残汚泥）が、主汚泥（汚泥槽２から出てきた下水汚泥であって繊維状物回収部３に送られなかった下水汚泥）とともに、脱水部４に供給されるように構成されている。
【００３３】
さらに、汚泥脱水装置１において、回収部残汚泥が、下水汚泥が送られる方向における繊維状物濃度測定部５よりも上流側で、残りの下水汚泥に繊維状物を加えるように構成されていてもよい。これにより、脱水部４に供給される下水汚泥のおける繊維状物の濃度をより正確なものとすることができる。
【００３４】
なお、配管の適宜の位置には汚泥等を移動するためのポンプＰ１〜Ｐ３が配置されている。
【００３５】
また、汚泥脱水装置１には、凝集剤貯留槽７とポンプＰ４とを備えて構成されている凝集剤供給部１０が設けられている。そして、凝集剤が、凝集剤貯留槽７からポンプＰ４により脱水機４に供給されるようになっている。さらに、凝集剤供給部１０は、下水汚泥が送られる方向における繊維状物濃度測定部５よりも下流側で（繊維状物濃度測定部５と脱水部４との間の配管の途中で）、凝集剤を主汚泥に供給するようになっている。含水率測定部８は、脱水機４から送られてくる脱水ケーキの含水率を測定するように構成されている。
【００３６】
制御部６では、含水率測定部８での測定の結果、脱水ケーキの含水率が所定の値（例えば８０％）よりも高い場合に、凝集剤の供給量を増やすことで、強固な凝集フロックを生成するとともに脱水性をより向上させて、脱水ケーキの含水率を所定の範囲内に制御をするようになっている。
【００３７】
また、制御部６では、含水率測定部での測定の結果、脱水ケーキの含水率が所定の値（例えば８０％）よりも低い場合に、凝集剤の供給量を減らすことで、脱水ケーキの含水率を所定の範囲内に制御をするようになっている。
【００３８】
この制御部６での制御により、脱水工程の後段の処理工程に応じた脱水ケーキの含水率に任意に調整することが可能で、安定した処理工程を行うことができるようになっている。
【００３９】
脱水部４で脱水された脱水ケーキはポンプＰ５により焼却炉９に送られるようになっている。
【００４０】
一般的に下水処理場で発生する脱水ケーキは、焼却炉９で焼却処理されることが多い。焼却炉９は脱水ケーキだけでなく様々な廃棄物を連続的に焼却処理しており、焼却物に応じて焼却温度（炉内温度）が上下する。焼却温度が設定温度より下がるとダイオキシン類の発生量が増大し、設定温度より上がると焼却炉の耐久値が下がる。
【００４１】
そこで、制御部６は、焼却炉９の炉内温度を図示しない温度測定部で測定し、炉内の温度が所定の値よりも高い場合に、凝集剤の供給量を減らすことで、焼却炉９に入る脱水ケーキの含水率を上昇させて、焼却炉９の炉内温度を所定の範囲内にするようになっている。
【００４２】
また、制御部６は、焼却炉９の炉内温度を図示しない温度測定部で測定し、炉内の温度が所定の値よりも低い場合に、凝集剤の供給量を増やすことで、焼却炉９に入る脱水ケーキの含水率を減少させて、焼却炉９の炉内温度を所定の範囲内にするようになっている。
【００４３】
この制御部６での制御により、脱水ケーキ以外の焼却物により焼却炉９での焼却温度が変動しても、焼却処理する脱水ケーキの含水率を調整することで安定した焼却処理を行うことができるようになっている。
【００４４】
ここで、汚泥脱水装置１の動作を汚泥脱水方法と対応させて説明する。
【００４５】
まず、下水汚泥が蓄えられる汚泥槽２から送られてくる下水汚泥の一部回収汚泥から、繊維状物回収部３で繊維状物を回収する（繊維状物回収工程）。
【００４６】
続いて、汚泥槽２から送られてくる下水汚泥を脱水部４で脱水し（脱水工程）、汚泥槽２から送られてくる繊維状物の濃度を繊維状物濃度測定部５で測定する（繊維状物濃度測定工程）。なお、この測定は、脱水工程で脱水される前の下水汚泥における繊維状物を対象とする。
【００４７】
続いて、繊維状物濃度測定工程での測定の結果、繊維状物の濃度が所定の値よりも高い場合に、繊維状物回収工程での繊維状物の回収量を増やし、また、繊維状物濃度測定工程での測定の結果、繊維状物の濃度が所定の値よりも低い場合に、繊維状物回収工程で回収した繊維状物を加えることで、脱水工程に入る下水汚泥における繊維状物の濃度を所定の範囲内に制御する（制御工程）。
【００４８】
繊維状物回収工程は、汚泥槽から送られてくる下水汚泥のうちの回収汚泥から、この回収汚泥に含まれている繊維状物の一部もしくはほぼ総てを回収して一時的に貯留するようになっている。繊維状物濃度測定工程は、汚泥槽から送られてくる下水汚泥のうちの主汚泥における繊維状物の濃度を測定するようになっている。
【００４９】
制御工程は、繊維状物濃度測定工程での測定の結果、繊維状物の濃度が所定の値よりも低い場合に、下水汚泥が送られる方向における繊維状物濃度測定工程よりも下流側で、主汚泥に繊維状物を加えるようになっている。
【００５０】
また、制御工程は、繊維状物濃度測定工程での測定の結果、繊維状物の濃度が所定の値よりも高い場合に、繊維状物回収工程に送られる回収汚泥の量を増やすようになっている。繊維状物回収工程で繊維状物が回収された回収部残汚泥が、脱水工程に供給されるようになっている。
【００５１】
また、回収部残汚泥は、下水汚泥が送られる方向における繊維状物濃度測定工程よりも上流側で、主汚泥に繊維状物を加えられるようになっている（残汚泥返送工程）。
【００５２】
また、脱水部４の前段で下水汚泥に凝集剤を供給し（凝集剤供給工程）、脱水部４で生成された脱水ケーキの含水率を含水率測定部８で測定し（含水率測定工程）、焼却炉９に脱水ケーキを送り焼却処理（焼却工程）する。
【００５３】
含水率測定工程での測定の結果、所定の含水率より高い場合に、凝集剤供給工程での凝集剤の供給量を増やし、また、含水率測定工程での測定の結果、所定の含水率より低い場合に、凝集剤供給工程での凝集剤の供給量を減らすことで、後段の工程に入る前の脱水ケーキの含水率を所定の範囲内に制御（制御工程）する。
【００５４】
なお、焼却工程時に炉内の温度を測定した結果、焼却温度が所定の値よりも高い場合に、凝集剤供給工程での凝集剤の供給量を減らし、また、焼却温度が所定の値よりも低い場合に、凝集剤供給工程での凝集剤の供給量を増やすことで、焼却工程での焼却温度（炉内温度）を所定の範囲内に制御（制御工程）してもよい。
【００５５】
図２を参照してさらに説明する。図２は某下水処理場に送泥される下水汚泥の繊維分含有量の日間変動で、縦軸は繊維分含有率であり、横軸は時刻（時刻の経過）である。図２で示す態様では、時刻の経過によって繊維状物の含有量の変化している。
【００５６】
さらに説明すると、０時から６時は脱水機供給汚泥の繊維含有率が２０％より低くなっている。このときに、繊維状物回収部３で回収した繊維状物を脱水部４に入る下水汚泥に加えるようになっている。６時から１３時までは脱水機供給汚泥の繊維含有率が２０％より高くなっている。このときに、繊維状物回収部３での繊維状物の回収量を増やすようになっている。
【００５７】
１３時から１９時は脱水機供給汚泥の繊維含有率が２０％より低くなっており、繊維状物回収部３で回収した繊維状物を脱水部４に入る下水汚泥に加えるようになっている。１９時から０時までは脱水機供給汚泥の繊維含有率が２０％より高くなっており、繊維状物回収部３での繊維状物の回収量を増やすようになっている。
【００５８】
汚泥脱水装置１によれば、繊維状物濃度測定部５での測定の結果、繊維状物の濃度が所定の値よりも高い場合に、繊維状物回収部３での繊維状物の回収量を増やし、また、繊維状物の濃度が所定の値よりも低い場合に、繊維状物回収部３で回収した繊維状物を加えることで、脱水部４に入る下水汚泥における繊維状物の濃度を所定の範囲内に制御するので、処理対象である汚泥中の繊維状物の濃度が変動しても、低含水率の脱水ケーキを安定して生成することができる。
【００５９】
そして、安定的に低含水率の脱水ケーキを生成するので、脱水ケーキの搬送、処分するためのランニングコストを低減することができ、脱水機に供給する汚泥を改質する脱水助材を、前段の汚泥から回収することができ、さらに、処理場内から回収した助材を用いるので搬送保管の必要がなくなる。
【００６０】
また、汚泥脱水装置１によれば、繊維状物濃度測定部５での測定の結果、繊維状物の濃度が所定の値よりも低い場合に、下水汚泥が送られる方向における繊維状物濃度測定部５よりも下流側で、主汚泥に繊維状物を加えるように構成されているので、脱水部４に入る下水汚泥における繊維状物の濃度を、的確に制御することができる。
【００６１】
また、汚泥脱水装置１によれば、繊維状物濃度測定部５での測定の結果、繊維状物の濃度が所定の値よりも高い場合に、繊維状物回収部３に送られる回収汚泥の量を増やすように構成されているので、繊維状物回収部３での繊維状物の回収を的確に行い、下水汚泥中の繊維状物の濃度が高くなった場合にそなえることができる。
【００６２】
また、汚泥脱水装置１によれば、繊維状物回収部３で繊維状物が回収された回収部残汚泥が、脱水部４に供給されるように構成されているので、繊維状物回収部３で繊維状物が回収された回収部残汚泥についても、脱水処理を的確に行うことができる。
【００６３】
図３は上記汚泥脱水装置１の他の実施形態（すなわち、実際の下水道汚泥処理に適用した実施形態）を示す図である。
【００６４】
図３を参照する。混合汚泥処理装置２２では、流入水が最初沈殿池２３に流入する。最初沈殿池２３では上澄み水が反応タンク２５に移送される。そして、汚泥は重力濃縮槽２４に移送される。重力濃縮槽２４で濃縮された汚泥は汚泥タンク２８に移送される。一方、反応タンク２５に移送された上澄み水は微生物等により反応され浄化される。次に、最終沈殿池２６に移送される。ここで、沈殿した不要物は機械濃縮槽２７に移送される。その他の水は河川等に流される。機械濃縮槽２７にて濃縮された濃縮物は汚泥タンク２８に移送される。そして、汚泥タンク２８の汚泥は脱水機３２にて脱水後、脱水ケーキが焼却炉３４に移送される。
【００６５】
脱水機３２に移送する前段にて汚泥中の繊維状物の含有量を調整する。すなわち、脱水機３２の前段で回収装置２９により回収された汚泥から繊維状物を取出し貯留する。
【００６６】
そして、汚泥タンク２８と脱水機３２の間に設けた計測機３１で計測した繊維状物が所定の範囲（例えば２０〜２５％）の下限より少ない場合に回収装置２９から繊維状物を加える。また、計測機３１で計測した繊維状物が所定の範囲の上限より多い場合は回収装置２９の回収量をたとえば増加する。回収装置２９から繊維状物が回収された残りの残汚泥は、重力濃縮槽２４に戻されるが、脱水機３２に供給する汚泥の繊維状物の濃度を低減させる際には、必要量を脱水機３２に供給してもよい。なお、汚泥タンク２８と脱水機３２との間にて汚泥を回収する場合、図１の汚泥槽２には、汚泥タンク２８が相当するが、最初沈殿池２３と重力濃縮槽２４との間で汚泥を回収する場合は最初沈殿池２３が相当し、重力濃縮槽２４と汚泥タンク２８との間で回収する場合は重量濃縮槽２４が相当する。
【００６７】
脱水機３２に移送する前段にて、凝集剤供給装置３０からの凝集剤の供給量を制御して脱水ケーキの含水率を調整する。計測機３３での計測値が所定の範囲の下限より低い、あるいは焼却炉の炉内温度が所定の範囲の上限より高い場合、凝集剤の供給量を減少させる。また、計測機３３での計測値が所定の範囲の上限より高い、あるいは焼却炉３４の炉内温度が所定の範囲の下限より低い場合、凝集剤の供給量を減少させる。
【００６８】
なお、この発明は前述の発明の実施の形態に限定されることなく、適宜な変更を行うことにより、その他の態様で実施し得るものである。
【符号の説明】
【００６９】
１  汚泥脱水装置
２  汚泥槽
３  繊維状物回収部
４  脱水部
５  繊維状物濃度測定部
６  制御部
７  凝集剤貯留槽
８  含水率測定部
９  焼却炉
１０  凝集剤供給部
２２  混合汚泥処理装置
２３  最初沈殿池
２４  重力濃縮槽
２５  反応タンク
２６  最終沈殿池
２７  機械濃縮槽
２８  汚泥タンク
２９  回収装置
３０  凝集剤供給装置
３１  計測装置
３２  脱水機
３３  計測機
３４  焼却炉
【図１】
0006298791.tif 000002
【図２】
0006298791.tif 000003
【図３】
0006298791.tif 000004